(57)【特許請求の範囲】
【請求項１】
形鋼を使用した造営材のフランジに締付手段を介して固定する側面コ字形状の開口部を有する既存の吊り金具に装着する補強金具において、
吊り金具は、相対峙する上アゴ部と下アゴ部とが連結部を介して連続形成され、フランジの上面に重合せしめる羽根を上アゴ部に形成すると共に、フランジの下面に圧着して吊り金具を固定せしめる締付ボルトを下アゴ部に備えた吊り金具であり、
補強金具は、フランジの上面と羽根との間に重ねる水平板と、該水平板の一端から屈曲延長され連結部の内側面がわに配置せしめる垂直板とで構成され、羽根の下面がフランジのコーナーにあるアール部より上に位置するように水平板の厚みを設定したことを特徴とする吊り金具用補強金具。
【請求項２】
前記補強金具において、前記造営材の一方のフランジに固定した前記吊り金具の側面に係止する平面略Ｕ字形状の係止杆体と、該係止杆体の先端部に連結され前記造営材の他方のフランジに固定する固定板体とを備え、前記補強金具の前記垂直板に係止杆体を挿通せしめる挿通口を形成した請求項１記載の吊り金具用補強金具。
【請求項３】
前記固定板体は、前記フランジの下面に係止する係止部と、前記フランジの上面側に延長された延長部と、これら係止部と延長部とを連結する連結部とで構成され、該連結部に前記係止杆体を挿通せしめる一対の挿通孔を開穿すると共に、係止部に前記係止杆体を挿通せしめる一対の挿通溝部を形成した請求項２記載の吊り金具用補強金具。
【発明の詳細な説明】
【技術分野】
【０００１】
本発明は、造営材として使用する形鋼のフランジに装着する吊り金具を補強する吊り金具用補強金具に係り、特に、フランジ幅が狭い形鋼において、フランジとウェブとのコーナー部に吊り金具の端部が接触する場合に、吊り金具の支持強度の低下を防止することができる吊り金具用補強金具に関するものである。
【背景技術】
【０００２】
形鋼等に装着する吊り金具とその補助具が特許文献１に記載されている。この補助具は、吊り金具の側面に係止する平面略Ｕ字形状を成し吊り金具の開口方向に延長された係止杆体と、形鋼に連結する固定板体とを備えたものである。この補助具を吊り金具に装着することにより、地震等で、吊り金具の締付ボルトが緩んだとしても、補助金具が吊り金具を支持し、吊り金具の脱落を防止するというものである。
【先行技術文献】
【特許文献】
【０００３】
【特許文献１】特許第２７４７６６７号公報
【特許文献２】特開２０１１-１６３０７８号公報
【発明の概要】
【発明が解決しようとする課題】
【０００４】
特許文献１に記載の補助金具によると、係止杆体や長ボルトの長手方向に沿った強化が可能になり、形鋼のフランジから吊り金具が外れる方向への移動を防止することはできる。ところが、形鋼のフランジ幅が狭くなり、吊り金具の先端部がフランジとウェブとのコーナー部に接触する場合に、吊り金具の支持強度が低下するおそれがあった。
【０００５】
すなわち、Ｈ形鋼等の形鋼は、フランジＰ１とウェブＰ２とのコーナー部に肉厚のアール部Ｐ３が形成されている（図６参照）。そのため、フランジＰ１に重ねた吊り金具１０の端部がアール部Ｐ３に接触するとこの端部が浮き上がり、吊り金具１０が不安定な状態になる。そこで、従来では、アール部Ｐ３に重なる直前まで吊り金具１０をフランジＰ１に重ねて固定している。ところが、この状態ではフランジＰ１との接触面積が少なくなり吊り金具１０の支持強度が低下する不都合があった。
【０００６】
一方、図６の状態で特許文献１及び２の補助金具を使用すると、吊り金具１０が補助金具によってウェブＰ２がわに引き寄せられ、吊り金具１０の端部がアール部Ｐ３に乗り上げるおそれがある。この状況では、吊り金具１０が傾斜した状態で固定されることになるので、この吊り金具１０に懸吊する吊りボルトＱも斜めになり、部材の懸吊に支障が生じるものであった。
【０００７】
そこで、本発明は上述の課題を解消すべく創出されたもので、フランジ幅が狭く吊り金具の端部がフランジとウェブとのアール部に接触する場合でも、吊り金具の支持強度の低下を防止することができる吊り金具用補強金具の提供を目的とする。
【課題を解決するための手段】
【０００８】
上述の目的を達成すべく本発明における第１の手段は、形鋼を使用した造営材ＰのフランジＰ１に締付手段を介して固定する側面コ字形状の開口部を有する既存の吊り金具１０に装着する補強金具１において、
吊り金具１０は、相対峙する上アゴ部１１と下アゴ部１３とが連結部１２を介して連続形成され、フランジＰ１の上面に重合せしめる羽根１４を上アゴ部１１に形成すると共に、フランジＰ１の下面に圧着して吊り金具１０を固定せしめる締付ボルト１５を下アゴ部１３に備えた吊り金具１０であり、
補強金具１は、フランジＰ１の上面と羽根１４との間に重ねる水平板２と、該水平板２の一端から屈曲延長され連結部１２の内側面がわに配置せしめる垂直板３とで構成され、羽根１４の下面がフランジＰ１のコーナーにあるアール部Ｐ３より上に位置するように水平板２の厚みを設定したことにある。
【０００９】
第２の手段において、前記補強金具１において、前記造営材Ｐの一方のフランジＰ１に固定した前記吊り金具１０の側面に係止する平面略Ｕ字形状の係止杆体４と、該係止杆体４の先端部に連結され前記造営材Ｐの他方のフランジＰ１に固定する固定板体５とを備え、前記補強金具１の前記垂直板３に係止杆体４を挿通せしめる挿通口３Ａを形成したものである。
【００１０】
第３の手段において、前記固定板体５は、前記フランジＰ１の下面に係止する係止部５Ａと、前記フランジＰ１の上面側に延長された延長部５Ｃと、これら係止部５Ａと延長部５Ｃとを連結する連結部５Ｂとで構成され、該連結部５Ｂに前記係止杆体４を挿通せしめる一対の挿通孔５Ｄを開穿すると共に、係止部５Ａに前記係止杆体４を挿通せしめる一対の挿通溝部５Ｅを形成したことにある。
【発明の効果】
【００１１】
本発明の請求項１のごとく、フランジＰ１の上面と羽根１４との間に重ねる水平板２と、該水平板２の一端から屈曲延長され連結部１２の内側面がわに配置せしめる垂直板３とで構成され、羽根１４の下面がフランジＰ１のコーナーにあるアール部Ｐ３より上に位置するように水平板２の厚みを設定したことにより、フランジ幅が狭く吊り金具１０の羽根１４端部がフランジＰ１のアール部Ｐ３に接触する場合でも、補強金具１を介することによって、羽根１４の先端をアール部Ｐ３より上に導入するので、吊り金具１０の支持強度の低下を防止することができる。また、垂直板３を連結部１２の内側面に当接した状態で固定した場合は、フランジ幅が狭いフランジＰ１でも、吊り金具１０の傾きを防止して強固な固定が可能になるものである。
【００１２】
請求項２のように、補強金具１において、造営材Ｐの一方のフランジＰ１に固定した吊り金具１０の側面に係止する平面略Ｕ字形状の係止杆体４と、該係止杆体４の先端部に連結され造営材Ｐの他方のフランジＰ１に固定する固定板体５とを備え、補強金具１の垂直板３に係止杆体４を挿通せしめる挿通口３Ａを形成したことで、補強金具１は、係止杆体４や固定板体５によって確実に固定されるものになる。したがって、地震等で吊り金具１０がフランジＰ１から脱落しそうになった場合でも、係止杆体４や固定板体５によって補強金具１と共に脱落を阻止することができる。
【００１３】
また、係止杆体４や固定板体５にて吊り金具１０を締め付けた場合でも、フランジＰ１の上面と羽根１４との間に補強金具１を介しているので、従来のごとく羽根１４の端部がアール部Ｐ３に乗り上げて吊り金具１０が傾く不都合も解消された。
【００１４】
請求項３のごとく、固定板体５は、前記フランジＰ１の下面に係止する係止部５Ａと、前記フランジＰ１の上面側に延長された延長部５Ｃと、これら係止部５Ａと延長部５Ｃとを連結する連結部５Ｂとで構成され、該連結部５Ｂに前記係止杆体４を挿通せしめる一対の挿通孔５Ｄを開穿すると共に、係止部５Ａに前記係止杆体４を挿通せしめる一対の挿通溝部５Ｅを形成したことにより、固定板体５を造営材ＰのフランジＰ１に確実に固定することができる。
【図面の簡単な説明】
【００１５】
【図１】本発明の一実施例を示す使用状態の分解斜視図である。
【図２】本発明の一実施例を示す使用状態の側面図である。
【図３】本発明の一実施例を示す使用状態の背面図である。
【図４】吊り金具の脱落を阻止する状態を示す側面図である。
【図５】本発明の他の使用例を示す側面図である。
【図６】従来の吊り金具の装着例を示す要部側面図である。
【発明を実施するための形態】
【００１６】
本発明によると、フランジ幅が狭く吊り金具の端部がフランジとウェブとに形成されたアール部に接触する場合でも、吊り金具の支持強度の低下を防止することができるなどといった当初の目的を達成した。
【００１７】
以下、本発明の実施例を説明する。本発明補強金具は、形鋼を使用した造営材ＰのフランジＰ１に係止せしめる既存の吊り金具１０に装着するもので、特に、フランジ幅の狭いフランジＰ１に装着して吊り金具１０の支持強度を高めるものである。
【００１８】
本発明補強金具を装着する吊り金具１０は、特に羽根１４を備えた吊り金具１０を使用する（図１参照）。すなわち、この吊り金具１０は、上アゴ部１１、連結部１２、下アゴ部１３にて側面略コ字状を成している（図２参照）。そして、上アゴ部１１に羽根１４を形成し、この羽根１４をフランジＰ１の上面に重合する。一方、下アゴ部１３には締付ボルト１５を備えており、この締付ボルト１５をフランジＰ１の下面に圧着して吊り金具１０を固定する。この吊り金具１０に吊りボルトＱを連結し、任意の部材を懸吊するものである。
【００１９】
本発明補強金具１の基本構成は、水平板２と垂直板３とで側面逆Ｌ字形状に形成されている（図１参照）。水平板２は、フランジＰ１の上面に重ねる部材で、この水平板２の一端から垂直板３を屈曲延長している。この垂直板３は、連結部１２の内側面がわに配設する部材で、連結部１２に当接させる場合もある。
【００２０】
そして、フランジＰ１の上に羽根１４を重合係止する際に、このフランジＰ１と羽根１４との間に水平板２を介在させるものである（図２参照）。この水平板２の厚みは、羽根１４の下面がフランジＰ１のコーナーにあるアール部Ｐ３より上に位置するように設定している。
【００２１】
図示例では、係止杆体４と固定板体５を組み合せた補強金具１を使用している（図１参照）。すなわち、係止杆体４は、吊り金具１０の側面に係止する平面略Ｕ字形状を成す角Ｕ字ボルト４Ａに六角ナット４Ｂをネジ止めした部材である。一方、固定板体５は、係止杆体４の先端部に連結され造営材ＰのフランジＰ１に固定する部材である。そして、補強金具１の垂直板３に、挿通口３Ａを形成し、この補強金具１に係止杆体４を挿通させている。このように、係止杆体４と固定板体５を組み合せた補強金具１を使用することで、万が一、地震等の影響でフランジＰ１から吊り金具１０がずり落ちそうになった場合でも、これら係止杆体４と固定板体５を組み合せた補強金具１によって吊り金具１０を保持することができる（図４参照）。
【００２２】
また、図示の固定板体５は、係止部５Ａ、連結部５Ｂ、延長部５Ｃにて側面略Ｃ字形状を成す（図１参照）。係止部５Ａは、フランジＰ１の下面に係止する。延長部５Ｃは、この係止部５Ａ上のフランジＰ１の上面側に延長されており、これら係止部５Ａと延長部５Ｃとを連結部５Ｂで連結している（図２参照）。
【００２３】
そして、この連結部５Ｂには、一対の挿通孔５Ｄを開穿してあり、この挿通孔５Ｄに角Ｕ字ボルト４Ａを挿通させている（図１参照）。このとき、支持部５Ａにも、係止杆体４を挿通せしめる一対の挿通溝部５Ｅを形成している。このように構成することで、角Ｕ字ボルト４ＡをフランジＰ１の下面に沿って配置でき、係止杆体４による安定した固定ができるものである（図２参照）。
【００２４】
図５では、吊り金具１０を逆向きに装着した状態を示している。この場合、補強金具１の垂直板３を貫通した係止杆体４が吊り金具１０の連結部１２を強固に締め付けるものである。このように吊り金具１０の向きがいずれの場合でも、垂直板３を貫通した係止杆体４は、吊り金具１０を保持しているので、たとえば地震で締付ボルト１５が緩み、吊り金具１０が脱落しかかっても、補強金具１と係止杆体４とで吊り金具１０を支えることができる。
【００２５】
本発明補強金具では、主に、造営材Ｐとして使用するＨ形鋼に装着した状態を説明しているが、造営材Ｐは、Ｈ形鋼に限定されるものではなく、このほかＬ形鋼など、アール部Ｐ３が形成された形鋼全てに使用できるものである。また、本発明は図示例に限定されるものではなく、本発明の要旨を変更しない範囲での設計変更は自由である。
【符号の説明】
【００２６】
Ｐ  造営材
Ｐ１  フランジ
Ｐ２  ウェブ
Ｐ３  アール部
Ｑ  吊りボルト
１  補強金具
２  水平板
３  垂直板
３Ａ  挿通口
４  係止杆体
４Ａ  角Ｕ字ボルト
４Ｂ  六角ナット
５  固定板体
５Ａ  支持部
５Ｂ  連結部
５Ｃ  係止部
５Ｄ  挿通孔
５Ｅ  挿通溝部
１０  吊り金具
１１  上アゴ部
１２  連結部
１３  下アゴ部
１４  羽根
１５  締付ボルト
【図１】
0005438162.tif 000002
【図２】
0005438162.tif 000003
【図３】
0005438162.tif 000004
【図４】
0005438162.tif 000005
【図５】
0005438162.tif 000006
【図６】
0005438162.tif 000007